(57)【要約】【課題】立体的なサウンド効果をよりリアルに作出する音響装置を提供する。【解決手段】聴取者の右前方に配置したスピーカである右前方スピーカと、左前方に配置したスピーカである左前方スピーカと、前方に配置したスピーカである前方スピーカと、右後方に配置したスピーカである右後方スピーカと、左後方に配置したスピーカである左後方スピーカと、聴取者の上方に向けて録音した音を出力する頭上に配置したスピーカである頭上スピーカと、右前方スピーカと左前方スピーカと前方スピーカと右後方スピーカと左後方スピーカと頭上スピーカに入力する増幅された信号を分配する分配器と、を有する。【選択図】図１
2008283651.tif 000002
【特許請求の範囲】
【請求項１】
聴取者の
右前方に配置したスピーカである右前方スピーカと、
左前方に配置したスピーカである左前方スピーカと、
前方に配置したスピーカである前方スピーカと、
右後方に配置したスピーカである右後方スピーカと、
左後方に配置したスピーカである左後方スピーカと、
頭上に配置したスピーカである頭上スピーカと、
前記右前方スピーカと前記左前方スピーカと前記前方スピーカと前記右後方スピーカと前記左後方スピーカと前記頭上スピーカに入力する増幅された信号を分配する分配器と、
を有する音響装置。
【請求項２】
聴取者の
右前方に配置したスピーカである右前方スピーカと、
左前方に配置したスピーカである左前方スピーカと、
前方に配置したスピーカである前方スピーカと、
後方に配置したスピーカである後方スピーカと、
頭上に配置したスピーカである頭上スピーカと、
前記右前方スピーカと前記左前方スピーカと前記前方スピーカと前記後方スピーカと前記頭上スピーカに入力する増幅された信号を分配する分配器と、
を有する音響装置。
【発明の詳細な説明】
【技術分野】
【０００１】
本発明は、立体的なサウンド効果を作出する音響装置に関するものである。
【背景技術】
【０００２】
従来からステレオシステムなどにより、左右に移動する音源を模擬的に再現する音響装置が存在する。最近では、聴取者を平面的に取り囲む５個のスピーカにより、聴取者の後方への音源の移動を模擬的に再現する、５．１ｃｈと呼ばれる音響システムが普及している。さらに、聴取者の頭上にスピーカを配した音響装置が考案されている。
【０００３】
例えば、特許文献１には平面的な音源の移動を表す信号から上下方向に移動する信号を算出し、その信号を頭上のスピーカから出力することにより立体的な効果を作出する技術が開示されている。
【０００４】
しかし、特許文献１に記載の技術においては、平面的な音源の移動を表す信号、例えば左右のスピーカから出力するための信号の音量差や位相差から、上下方向の移動を表す信号を算出するため、頭上の音源を正確に再現することは困難であるという問題点があった。
【特許文献１】特開平５−１９１８５７号公報
【発明の開示】
【発明が解決しようとする課題】
【０００５】
本発明は上記のような問題点に鑑みてなされたものであり、立体的なサウンド効果をよりリアルに作出する音響装置を提供することを目的とする。
【課題を解決するための手段】
【０００６】
この目的を達成するために、本発明は聴取者の頭上にスピーカを設け、この頭上のスピーカから、聴取者の上方に向けて録音した音を出力する音響装置を提供する。
【発明の効果】
【０００７】
本発明の音響装置によれば、従来の５個のスピーカに加えて聴取者の頭上にスピーカを設け、この頭上のスピーカから、聴取者の上方に向けて録音した音を出力するため、立体的なサウンド効果をよりリアルに作出することができるという効果がある。
【発明を実施するための最良の形態】
【０００８】
本発明の音響装置の一実施形態を、図面を用いて説明する。
【０００９】
＜第１の実施形態＞
図１は、第１の実施形態の音響装置のスピーカの構成と配置を示した図である。図１に示すように、本実施形態の音響装置は、聴取者の、右前方に配置したスピーカである右前方スピーカ１１ｆｒと、左前方に配置したスピーカである左前方スピーカ１１ｆｌと、前方に配置したスピーカである前方スピーカ１１ｂと、右後方に配置したスピーカである右後方スピーカ１１ｒｒと、左後方に配置したスピーカである左後方スピーカ１１ｒｌと、聴取者の上方に向けて録音した音を出力する頭上に配置したスピーカである頭上スピーカ１０と、を備える。映像用スクリーン１２を用いる場合には、映像用スクリーン１２は前方スピーカ１１ｂの後方に配置することが望ましい。
【００１０】
図２は、本実施形態の音響装置の構成を示した図である。図２に示すように、本実施形態の音響装置は、ＤＶＤプレーヤーなどの信号再生装置から信号を入力する入力装置２３と、入力した信号を増幅する増幅器２２と、右前方スピーカ１１ｆｒと左前方スピーカ１１ｆｌと前方スピーカ１１ｂと右後方スピーカ１１ｒｒと左後方スピーカ１１ｒｌと頭上スピーカ１０に入力する増幅器２２により増幅された信号を分配する分配器２１と、を備える。
【００１１】
次に、立体的な音響効果が作出される例を説明する。図３は、音源の移動例を示した図である。図３の一点破線に示すように、音源が聴取者の右前方から頭上を通って左後方に移動する場合について説明する。
【００１２】
図４は、各スピーカから出力される音量を示したグラフである。各グラフの縦軸は音量、横軸は時間を表す。前方スピーカ１１ｂは省略する。図４に示すように、右前方スピーカ１１ｆｒ、左前方スピーカ１１ｆｌ、頭上スピーカ１０、右後方スピーカ１１ｒｒ、左後方スピーカ１１ｒｌの順で、音量のピークが時間の経過に従って遅れて発生する。さらに、音源が右前方にある場合の効果を作出するときには、本実施形態の音響装置は、右前方スピーカ１１ｆｒから出力される音の音量が左前方スピーカ１１ｆｌから出力される音量より大きくなるように、出力する。
【００１３】
音源が頭上に来た場合の効果を作出するときには、本実施形態の音響装置は、頭上スピーカ１０からの音量が最も大きいように、出力する。
【００１４】
音源が左後方にある場合の効果を作出するときには、本実施形態の音響装置は、右後方スピーカ１１ｒｒから出力される音量が左後方スピーカ１１ｒｌから出力される音量より小さくなるように、出力する。
【００１５】
＜本実施形態の効果＞
以上述べたように、本実施形態の音響装置は、聴取者の頭上にスピーカを設け、この頭上のスピーカから、聴取者の上方に向けて録音した音を出力する。このため、立体的なサウンド効果をよりリアルに作出することができるという効果がある。
【００１６】
＜第２の実施形態＞
図５は、第２の実施形態の音響装置のスピーカの構成と配置を示した図である。図５に示すように、本実施形態の音響装置は、聴取者の、右前方に配置したスピーカである右前方スピーカ１１ｆｒと、左前方に配置したスピーカである左前方スピーカ１１ｆｌと、前方に配置したスピーカである前方スピーカ１１ｂと、後方に配置したスピーカである後方スピーカ１１ｍｒと、聴取者の上方に向けて録音した音を出力する頭上に配置したスピーカである頭上スピーカ１０と、を備える。映像用スクリーン１２を用いる場合には、映像用スクリーン１２は前方スピーカ１１ｂの後方に配置することが望ましい。
【００１７】
本実施形態の音響装置の構成は、第１の実施形態とほぼ同様である。
【００１８】
次に、立体的な音響効果が作出される例を説明する。図３の一点破線に示すように、音源が聴取者の右前方から頭上を通って後方に移動する場合について説明する。
【００１９】
図６は、各スピーカから出力される音量を示したグラフである。各グラフの縦軸は音量、横軸は時間を表す。前方スピーカ１１ｂは省略する。図６に示すように、右前方スピーカ１１ｆｒ、左前方スピーカ１１ｆｌ、頭上スピーカ１０、後方スピーカ１１ｍｒの順で、音量のピークが時間の経過に従って遅れて発生する。さらに、音源が右前方にある場合の効果を作出するときには、本実施形態の音響装置は、右前方スピーカ１１ｆｒから出力される音の音量が左前方スピーカ１１ｆｌから出力される音量より大きくなるように、出力する。
【００２０】
音源が頭上に来た場合の効果を作出するときには、本実施形態の音響装置は、頭上スピーカ１０からの音量が最も大きいように、出力する。
【００２１】
音源が後方にある場合の効果を作出するときには、本実施形態の音響装置は、後方スピーカ１１ｍｒからの音量が最も大きいように、出力する。
【００２２】
＜本実施形態の効果＞
以上述べたように、本実施形態の音響装置は、聴取者の後方にあるスピーカを一つにした。このため、安価にシステムを構築できるという効果がある。
【００２３】
なお、本発明の実施形態は上記に限られるものではない。発明の趣旨を変えない範囲で種々の変更を加えて実施することができる。例えば上記の実施例から構成要素をはずしたり新たに構成要素を追加したりすることができる。
【産業上の利用可能性】
【００２４】
本発明の音響装置は家庭用の音響機器への利用のほか、コンサートホールや映画館などの大規模施設に利用することができる。
【図面の簡単な説明】
【００２５】
【図１】第１の実施形態の音響装置のスピーカの構成と配置を示した図である。
【図２】第１の実施形態における音響装置の構成を示した図である。
【図３】音源の移動例を示した図である。
【図４】第１の実施形態における各スピーカから出力される音量を示したグラフである。
【図５】第２の実施形態の音響装置のスピーカの構成と配置を示した図である。
【図６】第２の実施形態における各スピーカから出力される音量を示したグラフである。
【符号の説明】
【００２６】
１０：頭上スピーカ、
１１ｆｒ：右前方スピーカ、
１１ｆｌ：左前方スピーカ、
１１ｒｒ：右後方スピーカ、
１１ｒｌ：左後方スピーカ、
１１ｍｒ：後方スピーカ。
【図１】
2008283651.tif 000003
【図２】
2008283651.tif 000004
【図３】
2008283651.tif 000005
【図４】
2008283651.tif 000006
【図５】
2008283651.tif 000007
【図６】
2008283651.tif 000008